(57)【特許請求の範囲】
【請求項１】
動物の下顎から肋骨部に至る部分に配置される下部心材と、当該下部心材を動物の胴体に着脱自在に装着するための心材装着部材を備え、前記下部心材の下顎に相当する部分が、当該下顎の下部輪郭形状に沿い、当該下顎を下方から支持又は保持し得る形状となっていることを特徴とする動物用コルセット。
【請求項２】
動物の後頭部付近から背部に至る部分に配置される上部心材、動物の側頭部付近から側部に至る部分に配置される側部心材の少なくとも１種を有することを特徴とする請求項１記載の動物用コルセット。
【請求項３】
前記心材装着部材が動物の頭部付近から胴体側に至る部分をほぼ覆って筒状にされるシート状のコルセット本体からなり、当該コルセット本体には、隣接させられる両端部を着脱自在に連結する連結部と、動物の前足を受け入れる前足受入れ部と、前記下部心材、上部心材又は側部心材を動物の頭部付近から胴体側に至る部分に相当する位置に固定する心材固定部とが形成されていることを特徴とする請求項１又は２記載の動物用コルセット。
【請求項４】
前記心材固定部が前記下部心材、上部心材又は側部心材を収納する心材収納部からなることを特徴とする請求項３記載の動物用コルセット。
【請求項５】
前記心材固定部が前記下部心材、上部心材又は側部心材を前記コルセット本体の外側から係合させる心材係合部からなることを特徴とする請求項３記載の動物用コルセット。
【請求項６】
前記前足受入れ部には周方向の途中で分断された分断部が形成され、各分断部の端部には相互に係合して前記前足受入れ部を形作る係合部が形成されていることを特徴とする請求項３記載の動物用コルセット。
【請求項７】
前記コルセット本体がその周方向に複数枚のシート部材に分割され、当該各シート部材の隣接する端部には前記各シート部材を相互に連結して筒状にする連結部が形成されていることを特徴とする請求項３記載の動物用コルセット。
【請求項８】
前記コルセット本体がその周方向に複数枚のシート部材に分割され、当該シート部材が動物の腹部を覆う腹部覆い部材と動物の背部を覆う背部覆い部材との少なくとも２つからなることを特徴とする請求項３記載の動物用コルセット。
【請求項９】
前記コルセット本体の動物の下顎側に相当する位置に、動物が食物などを摂取した際にコルセット本体が汚れることから保護する保護部材と、当該保護部材が着脱自在に取り付けられる保護部材取付部とが形成されていることを特徴とする請求項３記載の動物用コルセット。
【請求項１０】
前記下部心材、上部心材又は側部心材がその長さ方向に分断された少なくとも２個の心材部品と、当該各心材部品の隣接する端部の重合代を調整する調整部とを備えたことを特徴とする請求項１〜３のいずれかに記載の動物用コルセット。
【請求項１１】
前記下部心材が、動物の下顎の形状に対応して当該下顎に相当する部分に形成される下顎受け部、動物の最終肋骨部付近の形状に対応して当該最終肋骨部付近に相当する部分に形成される肋骨受け部の少なくとも１つを備えたことを特徴とする請求項１記載の動物用コルセット。
【請求項１２】
前記下部心材が、動物の下顎の形状に対応して形成され当該下顎に相当する部分に配置される下顎受け部材と、動物の最終肋骨部付近の形状に対応して形成され当該最終肋骨部付近に相当する部分に配置される肋骨受け部材と、これら下顎受け部材及び肋骨受け部材を連結する連結部材とを備えたことを特徴とする請求項１記載の動物用コルセット。
【発明の詳細な説明】
【技術分野】
【０００１】
本発明は、犬や猫などの四足歩行の動物を対象とした動物用コルセット、特に頸椎の動きを制限したり歪みを矯正したりするために使用される動物用コルセットに関する。
【背景技術】
【０００２】
動物の頸椎の動きを制限したり歪みを矯正したりするためにコルセットを着用させるということは考えられてはいない。したがって、動物の頸椎の動きを制限したり歪みを矯正したりするコルセットのような器具も存在しない。
【０００３】
これに対し、人間に対して頸椎の動きを制限したり、歪みを矯正したりするコルセットは種々提案されている。
【０００４】
特許文献１〜３に示すものは、頸部用のコルセットは人間の頸部を包囲可能としたベルト部材を備え、当該ベルト部材に頸部（頸椎）の支持構造を持たせたものである。
【特許文献１】実用新案登録第３０８４４４２号
【特許文献２】実用新案登録第３０９７８６７号
【特許文献３】特開２００６−１９７９５３号
【発明の開示】
【発明が解決しようとする課題】
【０００５】
しかしながら、上述の人間の頸部用のコルセットは、人間の体型を元に考案されているので、動物用のコルセットとして適用した場合には、次のような問題がある。
（１）動物は４足歩行を行い頭部が人間よりも前方に突出しているので、頸椎に対する頭部の角度が人間と相違しており、人間用のコルセットを用いようとしても動物の頸部に装着することができない。
（２）人間の頸部用のコルセットでは人間の肩や鎖骨部でコルセットの重量を支持して保持するようにしているが、動物は肩や鎖骨が動物の体になだらかに沿っているので、人間の頸部用のコルセットを用いようとしても動物の頸部に保持することができない。
【０００６】
本発明は、かかる事情に鑑みてなされたもので、動物への装着が容易で、動物の体型などにも適合し、効果的に頸椎の動きを制限したり歪みを矯正したりすることができる動物用コルセットを提供することにある。
【課題を解決するための手段】
【０００７】
（１）本発明の請求項１記載の動物用コルセットは、動物の下顎付近から肋骨部に至る部分に配置される下部心材と、当該下部心材を動物の胴体に着脱自在に装着するための心材装着部材を備え、前記下部心材の下顎に相当する部分が、当該下顎の下部輪郭形状に沿い、当該下顎を下方から支持又は保持し得る形状となっていることを特徴とする。
（２）本発明の請求項２記載の動物用コルセットは、動物の後頭部付近から背部に至る部分に配置される上部心材、動物の側頭部付近から側部に至る部分に配置される側部心材の少なくとも１種を有することを特徴とする。
（３）本発明の請求項３記載の動物用コルセットは、前記心材装着部材が動物の頭部付近から胴体側に至る部分をほぼ覆って筒状にされるシート状のコルセット本体からなり、当該コルセット本体には、隣接させられる両端部を着脱自在に連結する連結部と、動物の前足を受け入れる前足受入れ部と、前記下部心材、上部心材又は側部心材を動物の頭部付近から胴体側に至る部分に相当する位置に固定する心材固定部とが形成されていることを特徴とする。
（４）本発明の請求項４記載の動物用コルセットは、前記心材固定部が前記下部心材、上部心材又は側部心材を収納する心材収納部からなることを特徴とする。
（５）本発明の請求項５記載の動物用コルセットは、前記心材固定部が前記下部心材、上部心材又は側部心材を前記コルセット本体の外側から係合させる心材係合部からなることを特徴とする。
（６）本発明の請求項６記載の動物用コルセットは、前記前足受入れ部には周方向の途中で分断された分断部が形成され、各分断部の端部には相互に係合して前記前足受入れ部を形作る係合部が形成されていることを特徴とする。
（７）本発明の請求項７記載の動物用コルセットは、前記コルセット本体がその周方向に複数枚のシート部材に分割され、当該各シート部材の隣接する端部には前記各シート部材を相互に連結して筒状にする連結部が形成されていることを特徴とする。
（８）本発明の請求項８記載の動物用コルセットは、前記コルセット本体がその周方向に複数枚のシート部材に分割され、当該シート部材が動物の腹部を覆う腹部覆い部材と動物の背部を覆う背部覆い部材との少なくとも２つからなることを特徴とする。
（９）本発明の請求項９記載の動物用コルセットは、前記コルセット本体の動物の下顎側に相当する位置に、動物が食物などを摂取した際にコルセット本体が汚れることから保護する保護部材と、当該保護部材が着脱自在に取り付けられる保護部材取付部とが形成されていることを特徴とする。
（１０）本発明の請求項１０記載の動物用コルセットは、前記下部心材、上部心材又は側部心材がその長さ方向に分断された少なくとも２個の心材部品と、当該各心材部品の隣接する端部の重合代を調整する調整部とを備えたことを特徴とする。
（１１）本発明の請求項１１記載の動物用コルセットは、前記下部心材が、動物の下顎の形状に対応して当該下顎に相当する部分に形成される下顎受け部、動物の最終肋骨部付近の形状に対応して当該最終肋骨部付近に相当する部分に形成される肋骨受け部の少なくとも１つを備えたことを特徴とする。
（１２）本発明の請求項１２記載の動物用コルセットは、前記下部心材が、動物の下顎の形状に対応して形成され当該下顎に相当する部分に配置される下顎受け部材と、動物の最終肋骨部付近の形状に対応して形成され当該最終肋骨部付近に相当する部分に配置される肋骨受け部材と、これら下顎受け部材及び肋骨受け部材を連結する連結部材とを備えたことを特徴とする。
【発明の効果】
【０００８】
（１）動物の下顎から肋骨部に至る部分に配置された下部心材により、頭部を支える頸椎などの動きを制限したり頸椎などの歪みを矯正したりすることができるとともに、前記下部心材により主として頸椎の前屈や下顎の動きを制限することができる。さらに、下部心材の下顎に相当する部分が、下顎の下部輪郭形状に沿い下顎を下方から支持又は保持し得る形状となっているので、下部心材の端が動物の下顎部に突き当たってしまうことを抑制することができる。
（２）動物の後頭部付近から背部に至る部分に上部心材を付加したものでは、主として頸椎の後屈が制限でき、動物の側頭部付近から側部に至る部分に側部心材を付加したものでは、主として頸椎の側屈が制限できる。
（３）シート状のコルセット本体を動物の頭部付近から胴体側に至る部分をほぼ覆って筒状にし、隣接させられる両端部を連結部で着脱自在に連結し、動物の前足を前足受入れ部に受け入れさせ、前記下部心材、上部心材又は側部心材を心材固定部により動物の頭部付近から胴体側に至る部分に相当する位置に固定することにより、動物の頸椎などの動きが制限できる。特に、シート状のコルセット本体に柔軟性を持ったものにすれば、動物の頭部や胴体、特に皮膚が弱い頸部や口の周囲の接触をソフトにすることができる。
（４）下部心材、上部心材又は側部心材はコルセット本体に形成された心材収納部に収納されてコルセット本体に取り付けられて、動物の頸椎などの動きを制限することができる。
（５）下部心材、上部心材又は側部心材はコルセット本体に形成された心材係合部に係合してコルセット本体に取り付けられて、動物の頸椎などの動きを制限することができる。
（６）コルセット本体をおおよそ動物の頭部から胴体付近に装着した後に、前足受入れ部の分断部を、前足を取り巻くように、その係合部で連結して前足受入れ部が形成でき、動物用コルセットの装着を嫌がる動物であっても容易に装着することができる。
（７）分割されたシート部材を連結部で連結して筒状のコルセット本体を形成することができ、連結部分の重合代を調整すれば動物の頸部や胴体の寸法に応じてコルセット本体の巻寸法を調整できる。
（８）動物の背部に背部覆い部材を配置し動物の腹側に腹部覆い部材を配置してこれらを連結することにより筒状のコルセット本体を形成することができ、動物用コルセットの装着を嫌がる動物であっても容易に装着することができる。また、背部覆い部材には背部に装着した際に必要な機能を持たせ、腹部覆い部材には腹部に装着した際に必要な機能を持たせることができる。
（９）コルセット本体の動物の下顎側に相当する位置に装着された保護部材により、動物が食物を摂取した際などにコルセット本体が汚れることから保護できる。
（１０）下部心材、上部心材又は側部心材において、長さ方向に分断された心材部品の重合代を調整部において調整することにより、心材の長さや形状を動物の頸部や胴体に適合するように調整することができる。
（１１）下部心材の動物の下顎に相当する下顎受け部が下顎の形状に対応させてあり、下部心材の動物の最終肋骨部付近に相当する最終肋骨部が最終肋骨部付近の形状に対応させてあるので、下部心材を下顎付近や最終肋骨部付近に無理なく装着することができ、動物の頸部や胴体にかかる負担を最小限にすることができる。
（１２）下部心材の動物の下顎に相当する下顎受け部材が下顎の形状に対応させてあり、下部心材の動物の最終肋骨部付近に相当する最終肋骨部材が最終肋骨部付近の形状に対応させ、下顎受け部材及び肋骨受け部材を連結部材により連結してあるので、下部心材を下顎付近や最終肋骨部付近に無理なく装着することができ、動物の頸部や胴体にかかる負担を最小限にすることができる。
【発明を実施するための最良の形態】
【０００９】
図面を参照して、本発明の実施の形態に係る動物用コルセットについて説明する。
【００１０】
図１〜図３に基づいて本発明の実施の一形態に係る動物用コルセット１について説明する。本動物用コルセット１は、主として犬に装着して使用されるもので、例えば環軸関節の亜脱臼を患った犬に装着して使用されるものである。
【００１１】
本動物用コルセット１は、動物の下顎付近から肋骨部に至る部分に配置される下部心材２と、動物の下顎付近から肋骨部に至る部分をほぼ覆って筒状にされるシート状のコルセット本体（心材装着部材）３とを備えて概略構成される。下部心材２は、少なくとも、動物の胸骨柄から最終肋骨（犬の場合には第１３肋骨）までに配置することが好ましい。
【００１２】
下部心材２は幅が長さ方向でほぼ同一とされた方形形状をした例えば金属製の薄板から形成されている。コルセット本体３は、少なくとも１面が起毛された不織布（例えば、ネオプレーン（登録商標））などから形成されている。コルセット本体３には、隣接させられる両端部を着脱自在に連結する連結部３ａ，３ｂと、動物の前足を受け入れる前足受入れ部３ｃと、下部心材２を動物の下顎付近から肋骨部に至る部分に相当する位置に固定する心材収納部（心材固定部）４とが形成されている。
【００１３】
連結部３ａはコルセット本体３の起毛部からなり、連結部３ｂはコルセット本体３に縫製などにより固定され前記起毛部に係合する面ファスナー（例えば、マジックテープ（登録商標））などからなる。心材収納部４は、コルセット本体３の表面（外面）に方形状の布地を縫製してポケット状に形成されている。心材収納部４の一端（下顎側の端部）は閉塞され、他端（肋骨側の端部）には下部心材２を挿入する開口部４ａが形成されている。当該開口部４ａの内面には、対向する内面の起毛部と係合する面ファスナー４ｂが取り付けられ、面ファスナー４ｂを開口部４ａの内面に係合させて開口部４ａを閉塞できる。
【００１４】
図３に、本動物用コルセット１を使用使用した状態を示す。
【００１５】
下部心材２を動物の下顎から肋骨部に至る形状におおよそ合うように塑性変形させ、コルセット本体３の心材収納部４内に下部心材２を挿入する。次いで、前足受入れ部３ｃに動物Ｄの前足を挿入して受け入れさせ、コルセット本体３の端部を連結部３ａ，３ｂにより連結させて筒状として、動物Ｄに装着する。心材収納部４内の下部心材２を動物の下顎から肋骨部に至る形状に合致するように最終的に塑性変形させ、連結部３ａ，３ｂの係合位置を調整して、動物用コルセット１の動物Ｄへの装着を完了する。
【００１６】
下部心材２により動物の頸椎が前屈することが制限され、例えば、環軸関節の亜脱臼を患った動物Ｄの頸椎の保持を確実に行うことができる。また、コルセット本体３が柔らかい材質で形成されているので、動物の皮膚の弱いところにソフトに接触する。
【００１７】
図４〜図８に基づいて本実施の他の形態に係る動物用コルセット１０について説明する。前記動物用コルセット１と同一の構成要素には同一符号を付して説明を省略する。
【００１８】
コルセット本体１の一端（下顎側の端部）の両面には、面ファスナー１５ａ，１５ｂ（保護部材取付部）が取り付けられている。面ファスナー１５ａ，１５ｂには、図６及び図７に示すように、動物が食物を摂取した際などにコルセット本体３が汚れることから保護する起毛布などからなる保護部材１６が係合させられて取り付けられる。
【００１９】
図８に、本動物用コルセット１０を使用した状態を示す。
【００２０】
面ファスナー１５ａ，１５ｂに保護部材１６を係合してから、前記実施の形態と同様に、コルセット本体３を動物に装着する。また、保護部材１６が汚れたらコルセット本体３の隙間に指を挿入して保護部材１６を取り外して新しい保護部材１６と交換する。
【００２１】
前述の実施の形態と同様な作用を奏するとともに、動物が食物を摂取した際に保護部材１６がカバーとなってコルセット本体３が汚れることが防止され衛生的である。
【００２２】
図９及び図１０に基づいて本実施の更に他の形態に係る動物用コルセット２０について説明する。前記動物用コルセット１，１０と同一の構成要素には同一符号を付して説明を省略する。
【００２３】
コルセット本体２０の一端（下顎側の端部）の両面には、ボタンファスナー２５ａ，２５ｂ（保護部材取付部）が取り付けられ、動物が食物を摂取した際などにコルセット本体３が汚れることから保護する起毛布などからなる保護部材２６にはボタンファスナー２５ｃ，２５ｄ（保護部材取付部）が取り付けられている。そして、ボタンファスナー２５ａ，２５ｂ，２５ｃ，２５ｄを係合させて保護部材２６をコルセット本体３に取り付ける。上述の実施の形態と同様な使用方法を行うことにより、動物が食物を摂取した際に保護部材２６がカバーとなってコルセット本体３が汚れることが防止され衛生的である。
【００２４】
図１１〜図１３に基づいて本実施の更に他の形態に係る動物用コルセット３０について説明する。
【００２５】
本動物用コルセット３０は、動物の下顎付近から肋骨部に至る部分に配置される下部心材３２と、動物の下顎付近から肋骨部に至る部分をほぼ覆って筒状にされるシート状のコルセット本体（心材装着部材）３３とを備えて概略構成される。
【００２６】
下部心材３２は幅が長さ方向でほぼ同一とされた方形形状をした例えば金属製の薄板から形成され、前記コルセット本体３３は、少なくとも１面が起毛された不織布（例えば、ネオプレーン（登録商標））などから形成されている。コルセット本体３３には、隣接させられる両端部を着脱自在に連結する連結部３３ａ，３３ｂと、動物の前足を受け入れる前足受入れ部３３ｃと、下部心材３２を動物の下顎付近から肋骨部に至る部分に相当する位置に固定する心材収納部（心材固定部）３４とが形成されている。
【００２７】
連結部３３ａはコルセット本体３３の起毛部からなり、連結部３３ｂはコルセット本体３３に縫製などにより固定され前記起毛部に係合する面ファスナー（例えば、マジックテープ（登録商標））などからなる。心材収納部３４は、前記心材収納部４と同様に、コルセット本体３３の表面（外面）に方形状の布地を縫製してポケット状に形成されている。心材収納部３４の一端（下顎側の端部）は閉塞され、他端（肋骨側の端部）には下部心材３２を挿入する開口部３４ａが形成されている。当該開口部３４ａの内面には、対向する内面の起毛部と係合する面ファスナー３４ｂが取り付けられ、面ファスナー３４ｂを開口部３４ａの内面に係合させることにより開口部３４ａを閉塞できる。
【００２８】
前足受入れ部３３ｃには周方向の途中で分断された分断部３３ｄが形成され、各分断部３３ｄの端部には相互に係合して前足受入れ部３３ｃを形作る係合部３３ｅが形成されている。係合部３３ｅは分断部３３ｄの一端に縫製などにより固定された面ファスナーからなる。
【００２９】
図１３に、本動物用コルセット３０を使用した状態を示す。
【００３０】
下部心材３２を動物の下顎から肋骨部に至る形状におおよそ合わせて塑性変形させ、コルセット３０の心材収納部３４内に下部心材３２を挿入し、前足受入れ部３３ｃをその分断部３３ｄで分断した状態とする。次いで、分断された前足受入れ部３３ｃに動物Ｄの前足を挿入して受け入れさせ、コルセット本体３３の端部を連結部３３ａ，３３ｂにより連結しコルセット本体３３を筒状として、動物Ｄに装着する。前足受入れ部３３ｃから前足が外れた場合には、前足受入れ部３３ｃ内に前足を入れて分断部３３ｄを近接させて係合部３３ｅにより分断部３３ｄを連結して前足の前足受入れ部３３ｃへの装着を完了する。そして、心材収納部３４内の下部心材３２を動物の下顎から肋骨部に至る形状に合致するように最終的に塑性変形させ、連結部３３ａ，３３ｂの係合位置を調整して、動物用コルセット３０の動物Ｄへの装着を完了する。
【００３１】
前述の実施の形態と同様な効果を奏するとともに、前足受入れ部３３ｃが分断部３３ｄにより分断されているので、動物用コルセット３０の装着を嫌がる動物の場合であっても、動物用コルセット３０の前足受入れ部３３ｃに前足を入れない状態で動物用コルセット３０を動物の胴体に装着した後に、分断部３３ｄを係合部３３ｅにより連結するという操作を行うことにより、容易に動物用コルセット３０を装着することができる。
【００３２】
図１４〜図１８に基づいて本実施の更に他の形態に係る動物用コルセット４０について説明する。
【００３３】
本動物用コルセット４０は動物の下顎付近から肋骨部に至る部分をほぼ覆って筒状にされるコルセット本体４３を備え、このコルセット本体４３は、動物の腹部を覆う腹部覆い部材４３ａと、動物の背部を覆う背部覆い部材４３ｂとの２つの部品からなっている。腹部覆い部材４３ａと背部覆い部材４３ｂとは、少なくとも１面が起毛された不織布（例えば、ネオプレーン（登録商標））などから形成されている。
【００３４】
腹部覆い部材４３ａ及び背部覆い部材４３ｂには、これらの端部を連結して筒状にする連結部４３ｃ，４３ｄが形成されている。連結部４３ｄは背部覆い部材４３ｂの起毛部からなり、連結部４３ｃは腹部覆い部材４３ａの端部に縫製により取り付けられ前記起毛部に係合する面ファスナー（例えば、マジックテープ（登録商標））からなる。
【００３５】
腹部覆い部材４３ａには、動物の下顎付近から肋骨部に至る部分に配置される下部心材４２と、略半円形状をなし動物の前足を受け入れる前足受入れ部４３ｅと、下部心材４２を動物の下顎部付近から肋骨付近に至る部分に相当する位置に固定する心材収納部（心材固定部）４４とが形成されている。下部心材４２は幅が長さ方向でほぼ同一とされた方形形状をした例えば金属製の薄板から形成されている。
【００３６】
心材収納部４４は、上述した心材収納部４と同様に、腹部覆い部材４３ａの表面（外面）に布地を縫製してポケット状に形成され、心材収納部４４の一端（下顎側の端部）は閉塞され、他端（肋骨側の端部）には下部心材４２を挿入する開口部４４ａが形成され、当該開口部４４ａの内面には、対向する内面の起毛部と係合する面ファスナー４４ｂが取り付けられ、面ファスナー４４ｂを開口部４４ａの内面に係合させることにより開口部４４ａを閉塞できる。
【００３７】
背部覆い部材４３ｂには、動物の後頭部から背部に至る部分に配置される上部心材４５と、略半円形状をした動物の前足を受け入れる前足受入れ部４３ｆと、上部心材４５を動物の後頭部付近から背部に至る部分に相当する位置に固定する心材収納部（心材固定部）４６とが形成されている。心材収納部４６は、上述の心材収納部４４と同様に、背部覆い部材４３ｂの表面（外面）に布地を縫製してポケット状に形成され、心材収納部４６の一端（頭部側の端部）は閉塞され、他端（背部側の端部）には上部心材４５を挿入する開口部４６ａが形成され、当該開口部４６ａの内面には、対向する内面の起毛部と係合する面ファスナー４６ｂが取り付けられ、面ファスナー４６ｂを開口部４６ａの内面に係合させることにより開口部４４ａを閉塞できる。
【００３８】
背部覆い部材４３ｂには、動物に装着した場合に動物の側頭部付近から側部に至る部分に配置される側部心材４７と、側部心材４７を動物に装着した場合に動物の側頭部付近から側部に至る部分に相当する位置に固定する心材収納部（心材固定部）４８とが形成されている。心材収納部４８は、上述した心材収納部４４，４６と同様に、背部覆い部材４３ｂの表面（外面）に布地を縫製してポケット状に形成され、心材収納部４８の一端（側頭部側の端部）は閉塞され、他端（側部側の端部）には下部心材４７を挿入する開口部４８ａが形成され、当該開口部４８ａの内面には、対向する内面の起毛部と係合する面ファスナー４８ｂが取り付けられ、面ファスナー４８ｂを開口部４８ａの内面に係合させることにより開口部４８ａを閉塞できる。
【００３９】
図１８に、本動物用コルセット４０を使用した状態を示す。
【００４０】
下部心材４２、上部心材４５、側部心材４７を、動物の頭部から胴部に至る形状におおよそ合わせて塑性変形させる。下部心材４２を腹部覆い部材４３ａの心材収納部４４内に挿入し、上部心材４５を背部覆い部材４３ｂの心材収納部４６内に挿入し、側部心材４７を背部覆い部材４３ｂの心材収納部４８内に挿入する。次いで、連結部４３ｃ，４３ｄを連結して腹部覆い部材４３ａの一端に背部覆い部材４３ｂを連結して１枚のシート状形状とする。前足受入れ部４３ｅ，４３ｆ内に動物Ｄの前足を挿入して受け入れさせ、コルセット本体４３を動物Ｄの頭部から胴部に対して巻き付け、連結部４３ｃ，４３ｄを連結して動物Ｄに装着する。心材収納部４４内の下部心材３２や、心材収納部４６内の上部心材４５や心材収納部４８内の側部心材４７を動物の頭部から胴退部に至る形状に合致するように最終的に塑性変形させ、連結部４３ｃ，４３ｄの係合位置を調整して、動物用コルセット４０の動物Ｄへの装着を完了する。
【００４１】
前述の実施の形態と同様な効果を奏するとともに、コルセット本体４３が腹部覆い部材４３ａと背部覆い部材４３ｂとに分割され、前足受入れ部４３ｅ，４３ｆが分断されているので、動物の胴体の大きさに応じてコルセット本体４３の巻寸法を調整することができるとともに、動物用コルセット４０の装着を嫌がる動物の場合であっても、容易に動物用コルセット４０を装着することができる。
【００４２】
下部心材４２のみを設けたものは環軸関節の亜脱臼の保存療法に向いているが、上部心材４５、側部心材４７を設けた動物用コルセット４０では頸椎の骨折や変形などの症状に対応することができる。
【００４３】
図１９は本発明の実施の更に他の形態に係る動物用コルセット５０の使用状態を示す図である。上述した実施の形態に係る動物用コルセット１と同一構成要素には同一符号を付して説明を省略する。
【００４４】
このものは、上述の下部心材２と同様な形状の下部心材５２を、コルセット本体３の表面（外面）の動物の下顎から肋骨部に相当する位置に着脱自在に取り付けたものである。
【００４５】
下部心材５２の取り付け方法としては、下部心材５２の裏面に面ファスナーを接着などの方法により形成し、当該面ファスナーをコルセット本体５３の起毛部に係合させる方法が採用される。ここで、面ファスナーと起毛部とは本発明の心材係合部（心材固定部）を構成する。
【００４６】
このものでは、コルセット本体３の外面側から着脱自在に取り付けるようにしているので、コルセット本体３を動物Ｄに装着した後に、下部心材５２をコルセット本体３に取り付けたり、下部心材５２の係合位置を調整したりすることができる。
【００４７】
図２０は本発明の実施の更に他の形態に係る動物用コルセット６０の使用状態を示す図である。上述した実施の形態に係る動物用コルセット１と同一構成要素には同一符号を付して説明を省略する。
【００４８】
このものは、下部心材６２を、コルセット本体３の表面（外面）の動物の下顎から肋骨部に相当する位置に着脱自在に取り付けたものであり、上述の実施の形態に係る動物用コルセット５０と同様に、下部心材６２に設けた面ファスナーをコルセット本体３の起毛部に係合させて固定する。
【００４９】
下部心材６２は、動物の下顎に相当する部分を下顎の形状に対応した形状に湾曲幅広形状とした下顎受け部６２ａと、前記下部心材の動物の最終肋骨部付近に相当する部分を最終肋骨部付近の形状に対応した形状に湾曲幅広形状とした肋骨受け部６２ｂと、これら下顎受け部６２ａ及び肋骨受け部６２ｂを連結する連結部６２ｃとを一体に成形した薄板状の形状となっている。
【００５０】
このものでは、動物の下顎に対応した形状の下顎受け部６２ａにより下顎が保持されるので、皮膚の弱い下顎部にソフトに接触させることができ、同様に、最終肋骨付近に対応した形状の肋骨受け部６２ｂにより最終肋骨部付近が保持されるので、皮膚の弱い肋骨部付近にソフトに接触させることができる。
【００５１】
図２１〜図２４に、本発明の実施の更に他の形態に係る動物用コルセット７０を示す。上述した実施の形態に係る動物用コルセット１と同一構成要素には同一符号を付して説明を省略する。
【００５２】
下部心材７２は、動物の下顎に相当する部分に形成され下顎の形状に対応した下顎受け部材７２ａと、動物の最終肋骨部付近に相当する部分に形成され最終肋骨部付近の形状に対応した肋骨受け部材７２ｂと、これら下顎受け部材７２ａ及び肋骨受け部材７２ｂを連結する連結部材７２ｃとを備えている。連結部材７２ｃと下顎受け部材７２ａ及び肋骨受け部材７２ｂとは、リベット止めなどの方法により一体化されている。下顎受け部材７２ａ及び肋骨受け部材７２ｂの隅部には、コルセット本体３に糸などにより取り付ける場合にその糸などが挿通される貫通孔７２ｋが形成されている。
【００５３】
連結部材７２ｃは、その長さ方向に分断された少なくとも２個の心材部品７２ｄ，７２ｅからなり、各心材部品７２ｄ，７２ｅには複数の貫通孔７２ｇが長さ方向に形成されている。各心材部品７２ｄ，７２ｅの隣接する端部は互いに重合させられており、その重合代を調整する調整部７２ｆが設けられている。
【００５４】
調整部７２ｆは、前記貫通孔７２ｇと、貫通孔７２ｇ内に挿入される皿ネジ７２ｈと、皿ネジ７２のネジ部に螺合されて心材部品７２ｄ，７２ｅを締め付ける蝶ナット７２ｊとを備える（図２３参照）。
【００５５】
図２４に、本動物用コルセット７０を使用した状態を示す。
【００５６】
下顎受け部材７２ａが動物Ｄの下顎付近の適切な位置になるとともに、肋骨受け部材７２ｂが動物Ｄの最終肋骨部付近の適切な位置になるように、心材部品７２ｄ，７２ｅの重合代を調整して下部心材７２の長さを決め、心材部品７２ｄ，７２ｅの貫通孔７２ｇに皿ネジ７２ｈを挿入して皿ネジ７２ｈのネジ部に蝶ナット７２ｊを螺合し締め付けて固定する。次いで、下部心材７２を、必要に応じて、動物の下顎から肋骨部に至る形状におおよそ合わせて塑性変形させ、コルセット本体３に取り付ける。なお、コルセット本体３に下部心材７２を取り付けた後に、心材部品７２ｄ，７２ｅなどを塑性変形するようにしてもよい。前足受入れ部３ｃに動物Ｄの前足を挿入して受け入れさせ、コルセット本体３の端部を、連結部３ａ，３ｂを連結して、動物用コルセット７０を動物Ｄに装着する。下部心材７２を動物の下顎から肋骨部に至る形状に合致するように最終的に塑性変形させ、連結部３ａ，３ｂの係合位置を調整して、動物用コルセット７０の動物Ｄへの装着を完了する。
【００５７】
上述の実施の形態に係る動物用コルセットと同様な効果を奏するとともに、調整部７２ｆにより下部心材７２の長さや形状を調整することにより、動物Ｄの体に合わせることができ、頸椎などを適切に保持することができる。
【００５８】
図２５に、本発明の実施の更に他の形態に係る動物用コルセット８０を示す。上述の実施の形態に係る動物用コルセット７０と同一構成要素には同一符号を付して説明を省略する。
【００５９】
本動物用コルセット８０では、下顎受け部材７２ａの隅部に形成された貫通孔７２ｋにベルト部材８３ａの端部が係止され、調整部７２ｆの皿ネジ７２ｈにベルト部材８３ｂの端部が係止され、肋骨受け部材７２ｂの隅部に形成された貫通孔７２ｋにベルト部材８３ｃ又はベルト部材８３ｄが係止されている。ベルト部材８３ａ，８３ｂ，８３ｃ，８３ｄは本発明の心材装着部材を構成する。
【００６０】
このものでは、下顎受け部材７２ａが動物Ｄの下顎付近の適切な位置になるとともに、肋骨受け部材７２ｂが動物Ｄの最終肋骨部付近の適切な位置になるように、心材部品７２ｄ，７２ｅの重合代を調整して下部心材７２の長さを決め、心材部品７２ｄ，７２ｅの貫通孔７２ｇに皿ネジ７２ｈを挿入して皿ネジ７２ｈのネジ部に蝶ナット７２ｊを螺合し締め付けて固定する。次に、下部心材７２を、必要に応じて、下部心材７２を動物の下顎から肋骨部に至る形状におおよそ合わせて塑性変形させる。ベルト部材８３ａ，８３ｂ，８３ｃ，８３ｄをバックル部材で締め付けることにより、下部心材７２を動物Ｄに装着する。下部心材７２を動物の下顎から肋骨部に至る形状に合致するように最終的に塑性変形させ、ベルト部材８３ａ，８３ｂ，８３ｃ，８３ｄの締め付け具合を調整して、動物用コルセット８０の動物Ｄへの装着を完了する。
【００６１】
本動物用コルセット８０では、動物Ｄへの装着にコルセット本体を用いないので、部品点数が少なくなりコストを低減することができる。また、コルセット本体で動物Ｄの頭部から胴部を覆わないので、胴部が蒸れることが抑制される。
【００６２】
本動物用コルセット８０では下部心材７２をベルト部材８３ａ，８３ｂ，８３ｃ，８３ｄにより動物Ｄに装着するようにしているが、下部心材７２とともに又は下部心材７２を除いて上部心材、側部心材の少なくとも１つを上記したのと同様なベルト部材のみで動物Ｄに装着するようにしてもよい。
【００６３】
上述の実施の形態に係る動物用コルセットでは、下部心材や上部心材や側部心材として金属製のものを使用したが、プラスチック等の他の材料を使用してもよい。この場合、動物の体に合わせて塑性変形できるものが好ましいが、予め動物の体に合わせて形成されたものであれば、大きく塑性変形できないものや弾性変形のみをするものであってもよい。
【００６４】
上述の実施の形態に係る動物用コルセットでは、１個の下部心材や上部心材や側部心材を１個の心材収納部内に挿入して固定するようにしているが、下部心材や上部心材や側部心材を、それぞれ複数（例えば２個）の幅狭の帯状部材から構成し、コルセット本体の動物の頭部側から胴体側に対応した位置に、それぞれの帯状部材を収納する心材収納部を複数（例えば２個）略平行に形成したものでもよい。
【００６５】
上述の実施の形態に係る動物用コルセット５０，６０では下部心材をコルセット本体に対して着脱自在に取り付けているが、下部心材に縫製用の糸が挿通される糸穴を形成し、この糸穴により下部心材をコルセット本体に縫製してもよい。下部心材がコルセット本体に固定的に縫製されるので、動物が動き回って下部心材がコルセット本体から外れることがない。
【００６６】
上述の実施の形態に係る動物用コルセットでは心材収納部は心材のすべてを覆い隠すものを例示したが、心材の一部のみを覆い隠すものであってもよい。例えば、心材の長さ方向に複数のベルトを設け、ベルト間にベルトに引っかけるように心材を挿入するようにしたものであってもよい。
【００６７】
上述の実施の形態に係る動物用コルセットではポケット状の心材収納部をコルセット本体に縫製により一体に形成しているが、別部品からなる袋状の心材収納部材をコルセット本体に面ファスナーなどにより着脱自在に取り付けるようにしてもよい。
【００６８】
上述の実施の形態に係る動物用コルセットでは前足受入れ部をコルセット本体に一体に形成したが、前足受入れ部を備えた別部品からなる前足受入れ部材をコルセット本体に面ファスナーなどにより着脱自在に取り付けるようにしてもよい。
【００６９】
上述の実施の形態に係る動物用コルセットにおいてコルセット本体を複数のシート部材により形成したもので、シート部材間に隙間が形成されるときにはその隙間を覆う覆い部材を別途設けるようにしてもよい。
【００７０】
上述の実施の形態に係る動物用コルセットではコルセット本体をネオプレーン（登録商標）のような材料を使用したものを示したが、メッシュ地のような材料を用いて、必要部分に面ファスナーなどからなる連結部などを設けるようにしてもよい。
【００７１】
上述の実施の形態に係る動物用コルセットではコルセット本体の端部を連結して筒状にするためにコルセット本体に縫製などにより固定された面ファスナーなどからなる連結部を用いたが、連結部に例えば編み上げ式の連結部を採用してもよい。また、連結部を別部品からなる連結部材から形成し、連結部材をコルセット本体に着脱自在に取り付けるようにしたものでもよい。
【図面の簡単な説明】
【００７２】
【図１】本発明の実施の一形態に係る動物用コルセットを表面（外面）から見た状態を示す図である。
【図２】本発明の実施の一形態に係る動物用コルセットを裏面（内面）から見た状態を示す図である。
【図３】本発明の実施の一形態に係る動物用コルセットを動物に装着した状態を示す図である。
【図４】本発明の実施の他の形態に係る動物用コルセットを表面（外面）から見た状態を示す図である。
【図５】本発明の実施の他の形態に係る動物用コルセットを裏面（内面）から見た状態を示す図である。
【図６】本発明の実施の他の形態に係る動物用コルセットを表面（外面）から見た状態を示す図である。
【図７】本発明の実施の他の形態に係る動物用コルセットを裏面（内面）から見た状態を示す図である。
【図８】本発明の実施の他の形態に係る動物用コルセットを動物に装着した状態を示す図である。
【図９】本発明の実施の更に他の形態に係る動物用コルセットを表面（外面）から見た状態を示す図である。
【図１０】本発明の実施の更に他の形態に係る動物用コルセットを裏面（内面）から見た状態を示す図である。
【図１１】本発明の実施の更に他の形態に係る動物用コルセットを表面（外面）から見た状態を示す図である。
【図１２】本発明の実施の更に他の形態に係る動物用コルセットを裏面（内面）から見た状態を示す図である。
【図１３】本発明の実施の更に他の形態に係る動物用コルセットを動物に装着した状態を示す図である。
【図１４】本発明の実施の更に他の形態に係る動物用コルセットの一部品である腹部覆い部材を表面（外面）から見た状態を示す図である。
【図１５】本発明の実施の更に他の形態に係る動物用コルセットの一部品である腹部覆い部材を裏面（内面）から見た状態を示す図である。
【図１６】本発明の実施の更に他の形態に係る動物用コルセットの一部品である背部覆い部材を表面（外面）から見た状態を示す図である。
【図１７】本発明の実施の更に他の形態に係る動物用コルセットの一部品である背部覆い部材を裏面（内面）から見た状態を示す図である。
【図１８】本発明の実施の更に他の形態に係る動物用コルセットを動物に装着した状態を示す図である。
【図１９】本発明の実施の更に他の形態に係る動物用コルセットを動物に装着した状態を示す図である。
【図２０】本発明の実施の更に他の形態に係る動物用コルセットを動物に装着した状態を示す図である。
【図２１】本発明の実施の更に他の形態に係る動物用コルセットの一部品である心材部品を表面（外面）から見た状態を示す図である。
【図２２】本発明の実施の更に他の形態に係る動物用コルセットの一部品である心材部品を裏面（内面）から見た状態を示す図である。
【図２３】本発明の実施の更に他の形態に係る動物用コルセットの一部品である心材部品の一部を破断した拡大断面図である。
【図２４】本発明の実施の更に他の形態に係る動物用コルセットを動物に装着した状態を示す図である。
【図２５】本発明の実施の更に他の形態に係る動物用コルセットを動物に装着した状態を示す図である。
【符号の説明】
【００７３】
１  動物用コルセット
２  下部心材
３  コルセット本体（心材装着部材）
３ａ，３ｂ  連結部
３ｃ  前足受入れ部
４  心材収納部（心材固定部）
１０  動物用コルセット
１５ａ，１５ｂ  面ファスナー（保護部材取付部）
１６  保護部材
２０  動物用コルセット
２５ａ，２５ｂ，２５ｃ，２５ｄ  ボタンファスナー
２６  保護部材
３０  動物用コルセット
３２  下部心材
３３  コルセット本体（心材装着部材）
３３ａ，３３ｂ  連結部
３３ｃ  前足受入れ部
３３ｄ  分断部
３３ｅ  連結部
３４  心材収納部（心材固定部）
４０  動物用コルセット
４２  下部心材
４３  コルセット本体
４３ａ  腹部覆い部材（シート部材）
４３ｂ  背部覆い部材（シート部材）
４３ｃ，４３ｄ  連結部
４３ｅ，４３ｆ  前足受入れ部
４４  心材収納部（心材固定部）
４５  上部心材
４６  心材収納部
４７  側部心材
４８  心材収納部（心材固定部）
５０  動物用コルセット
５２  下部心材
６０  動物用コルセット
６２  下部心材
６２ａ  下顎受け部
６２ｂ  肋骨受け部
６３ｃ  連結部
７０  動物用コルセット
７２  下部心材
７２ａ  下顎受け部材
７２ｂ  肋骨受け部材
７２ｃ  連結部材
７２ｄ，７２ｅ  心材部品
７２ｆ  調整部
８０  動物用コルセット
８３ａ，８３ｂ，８３ｃ，８３ｄ  ベルト部材（心材装着部材）
【図１】
0005400992.tif 000002
【図２】
0005400992.tif 000003
【図３】
0005400992.tif 000004
【図４】
0005400992.tif 000005
【図５】
0005400992.tif 000006
【図６】
0005400992.tif 000007
【図７】
0005400992.tif 000008
【図８】
0005400992.tif 000009
【図９】
0005400992.tif 000010
【図１０】
0005400992.tif 000011
【図１１】
0005400992.tif 000012
【図１２】
0005400992.tif 000013
【図１３】
0005400992.tif 000014
【図１４】
0005400992.tif 000015
【図１５】
0005400992.tif 000016
【図１６】
0005400992.tif 000017
【図１７】
0005400992.tif 000018
【図１８】
0005400992.tif 000019
【図１９】
0005400992.tif 000020
【図２０】
0005400992.tif 000021
【図２１】
0005400992.tif 000022
【図２２】
0005400992.tif 000023
【図２３】
0005400992.tif 000024
【図２４】
0005400992.tif 000025
【図２５】
0005400992.tif 000026